(57)【要約】【課題】複数の機能を備えてユーザビリティを向上できる電子時計を提供すること。【解決手段】電子時計は、位置情報衛星から送信される衛星信号を受信する受信部１２１と、操作部１５７とを備える。電子時計は、受信部１２１を作動させて衛星信号を受信し、受信した衛星信号に基づいて時刻情報を取得する第１機能部３１０と、受信部１２１を作動させて衛星信号を受信し、受信した衛星信号に基づいて位置情報を取得する第２機能部３２０と、第１機能部３１０および第２機能部３２０で実行される機能とは別の機能を実行する第３機能部３３０とを備える。各機能部は操作部１５７の各一回の操作で実行される。【選択図】図４
2015169493.tif 000002
【特許請求の範囲】
【請求項１】
位置情報衛星から送信される衛星信号を受信する受信手段と、操作部とを備える電子時計であって、
前記受信手段を作動させて前記衛星信号を受信し、受信した前記衛星信号に基づいて時刻情報を取得する第１機能部と、
前記受信手段を作動させて前記衛星信号を受信し、受信した前記衛星信号に基づいて位置情報を取得する第２機能部と、
前記第１機能部および前記第２機能部で実行される機能とは別の機能を実行する第３機能部とを備え、
各前記機能部は前記操作部の各一回の操作で実行される
ことを特徴とする電子時計。
【請求項２】
請求項１に記載の電子時計において、
１つのモード針を備え、
前記モード針は、実行中の機能部の種類に応じて指示する位置を変更する
ことを特徴とする電子時計。
【請求項３】
請求項２に記載の電子時計において、
前記第３機能部は、自然現象または生理現象を測定して測定値を取得する機能であり、
前記モード針は、前記第３機能部が実行中の場合は、前記測定値を指示するインジケーター針として機能する
ことを特徴とする電子時計。
【請求項４】
請求項１から請求項３のいずれかに記載の電子時計において、
前記第３機能部は、時間を計測するクロノグラフ、気圧を測定する気圧計、温度を測定する温度計、脈拍を測定する脈拍計のいずれかである
ことを特徴する電子時計。
【請求項５】
請求項１から請求項４のいずれかに記載の電子時計において、
前記操作部は、複数のボタンを備えて構成され、
前記ボタンは、
各前記機能部の実行を指示する１つ以上のボタンと、
各前記機能部の実行の中断を指示する１つ以上のボタンとを備える
ことを特徴とする電子時計。
【請求項６】
請求項１から請求項５のいずれかに記載の電子時計において、
前記操作部は、各前記機能部の実行を指示する１つのボタンを備え、
各前記機能部は、前記１つのボタンを押し続ける時間に応じて選択されて実行される
ことを特徴とする電子時計。
【請求項７】
請求項１から請求項５のいずれかに記載の電子時計において、
前記操作部は、
前記第１機能部の実行を指示する第１ボタンと、
前記第２機能部の実行を指示する第２ボタンと、
前記第３機能部の実行を指示する第３ボタンとを備える
ことを特徴とする電子時計。
【請求項８】
請求項１から請求項５のいずれかに記載の電子時計において、
前記操作部は、
前記第１機能部および前記第２機能部の実行を指示する受信ボタンと、
前記第３機能部の実行を指示する機能ボタンとを備え、
前記第１機能部および前記第２機能部は、前記受信ボタンを押し続ける時間に応じて選択されて実行される
ことを特徴とする電子時計。
【発明の詳細な説明】
【技術分野】
【０００１】
本発明は、位置情報衛星から送信される衛星信号を受信する機能と、クロノグラフなどの衛星信号の受信以外の機能とを有する電子時計に関する。
【背景技術】
【０００２】
クロノグラフなどの複数の機能（モード）を有する時計において、一つのモード針が示す領域によって、現在のモードを切り替える時計が知られている（特許文献１）。
特許文献１では、通常時刻を表示する時刻モードで第１の押しボタンを押すと、水深計測モードに切り替わる。水深計測モードで第１の押しボタンを押すと、クロノグラフモードに切り替わる。
クロノグラフモードでは、第２の押しボタンを押すとスタートし、再度第２の押しボタンを押すとストップする。また、第１の押しボタンを押すとクロノグラフモードがキャンセルされて、時刻モードに切り替わる。
【先行技術文献】
【特許文献】
【０００３】
【特許文献１】特開平８−５７５６号公報
【発明の概要】
【発明が解決しようとする課題】
【０００４】
前記特許文献１では、クロノグラフ機能を選択して実行するには、第１の押しボタンでモードを選択し、その後、第２の押しボタンを押してクロノグラフのスタート、ストップ操作を行う必要がある。このため、モード選択、機能スタートの２つの操作が必要となり、ユーザビリティが低下するという問題がある。
【０００５】
さらに、位置情報衛星から送信される衛星信号を受信して時刻情報を取得する測時モードと、前記衛星信号を受信して得られる情報から位置情報を算出する測位モードとを備える場合のように、機能が増える場合には、モード選択時のボタンを押す回数が増えるために、さらにユーザビリティが低下するという問題がある。
【０００６】
本発明の目的は、複数の機能を備えてユーザビリティを向上できる電子時計を提供することにある。
【課題を解決するための手段】
【０００７】
本発明の電子時計は、位置情報衛星から送信される衛星信号を受信する受信手段と、操作部とを備える電子時計であって、前記受信手段を作動させて前記衛星信号を受信し、受信した前記衛星信号に基づいて時刻情報を取得する第１機能部と、前記受信手段を作動させて前記衛星信号を受信し、受信した前記衛星信号に基づいて位置情報を取得する第２機能部と、前記第１機能部および前記第２機能部で実行される機能とは別の機能を実行する第３機能部とを備え、各前記機能部は前記操作部の各一回の操作で実行されることを特徴とする。
【０００８】
本発明によれば、衛星信号を受信して時刻情報を取得する測時モードの機能を実行する第１機能部と、たとえば４つの衛星信号を受信して位置情報を算出する測位モードの機能を実行する第２機能部と、例えばクロノグラフなどの別の機能を実行する第３機能部とを備える。
そして、各機能部は、ボタンなどの操作部の各一回の操作で実行されるため、モード選択操作を行ってから、実行開始操作を行うことで二回の操作で実行する場合に比べて、操作性を向上できる。したがって、利用者は、多機能の電子時計を操作性よく扱うことができ、ユーザビリティを向上できる。
【０００９】
本発明の電子時計において、１つのモード針を備え、前記モード針は、実行中の機能部の種類に応じて指示する位置を変更することが好ましい。
【００１０】
このようなモード針を備えていれば、利用者はモード針の指示位置を確認することで、現在実行されている機能を容易に把握できる。したがって、利用者は意図した機能が実行されているかを容易に確認でき、この点でもユーザビリティを向上できる。
【００１１】
本発明の電子時計において、前記第３機能部は、自然現象または生理現象を測定して測定値を取得する機能であり、前記モード針は、前記第３機能部が実行中の場合は、前記測定値を指示するインジケーター針として機能することが好ましい。
【００１２】
ここで、自然現象とは、例えば、時間、温度、気圧（高度）、水圧（水深）、方位等であり、生理現象とは、例えば、血圧、脈拍、歩数、消費カロリー等である。
本発明によれば、第３機能が実行中は、前記モード針は第３機能で取得した測定値を指示するインジケーター針として機能するため、利用者はモード針を視認するだけで、第３機能が実行中であること、および、その測定値を容易に確認できる。
【００１３】
本発明の電子時計において、前記第３機能部は、時間を計測するクロノグラフ、気圧を測定する気圧計、温度を測定する温度計、脈拍を測定する脈拍計のいずれかであることが好ましい。
【００１４】
第３機能部がクロノグラフであれば、利用者はスタート操作、ストップ操作を行うことで、時間計測を実行できる。また、第３機能部が気圧計であれば、利用者は現在地の気圧つまり高度（標高）を把握できる。さらに、第３機能部が温度計であれば、利用者は現在地の温度を把握できる。また、第３機能部が脈拍計であれば、電子時計を装着した利用者は脈拍数を把握できる。
【００１５】
本発明の電子時計において、前記操作部は、複数のボタンを備えて構成され、前記ボタンは、各前記機能部の実行を指示する１つ以上のボタンと、各前記機能部の実行の中断を指示する１つ以上のボタンとを備えることが好ましい。
【００１６】
各機能部の実行を指示するボタンとは別に、機能部の実行の中断を指示するボタンを備えたので、各機能部の実行を容易に中断することができる。この際、１つの共通するボタンで各機能部の実行を中断するように構成すれば、機能部毎に異なる中断用のボタンを設置する必要がない。このため、ボタン数を軽減でき、かつ、利用者はいずれの機能部を実行していても、中断したい場合には同じボタンを押せばよいので、操作性を向上できる。
また、第１機能部および第２機能部の実行の中断を指示する１つのボタンと、第３機能部の実行の中断を指示する１つボタンとを設けた場合には、第１機能部および第２機能部による受信処理の中断を１つのボタンで中断でき、クロノグラフなどの第３機能部の実行を他のボタンで中断でき、機能別に中断ボタンが設定されているので、中断ボタンを把握しやすく、操作性を向上できる。また、第１，２機能部の実行を中断するボタンは１つのボタンで兼用しているので、各機能部用に異なる中断ボタンを設ける場合に比べてボタン数を少なくできる。
【００１７】
本発明の電子時計において、前記操作部は、各前記機能部の実行を指示する１つのボタンを備え、各前記機能部は、前記１つのボタンを押し続ける時間に応じて選択されて実行されることが好ましい。
【００１８】
本発明によれば、１つのボタンを押し続ける時間に応じて各機能部を選択して実行できる。例えば、１つのボタンを３秒以上、６秒未満押して離した場合には第１機能部を実行し、６秒以上押して離した場合には第２機能部を実行し、３秒未満押して離した場合には第３機能部を実行することができる。
したがって、１つのボタンで第１〜３機能部の実行を指示できるので、ボタン数を少なくできる。
【００１９】
本発明の電子時計において、前記操作部は、前記第１機能部の実行を指示する第１ボタンと、前記第２機能部の実行を指示する第２ボタンと、前記第３機能部の実行を指示する第３ボタンとを備えることが好ましい。
【００２０】
本発明によれば、第１〜３機能部に対応して第１〜３ボタンを備えているので、利用者は各機能部の実行の指示を容易に行うことができる。特に、ボタンを押す時間を変えて機能部を選択する必要が無いため、操作性を向上できる。
【００２１】
本発明の電子時計において、前記操作部は、前記第１機能部および前記第２機能部の実行を指示する受信ボタンと、前記第３機能部の実行を指示する機能ボタンとを備え、前記第１機能部および前記第２機能部は、前記受信ボタンを押し続ける時間に応じて選択されて実行されることが好ましい。
【００２２】
本発明によれば、受信ボタンを操作して第１機能部および第２機能部を実行し、機能ボタンを操作して他の機能を実行するため、ボタン数と操作性とのバランスを向上できる。
【図面の簡単な説明】
【００２３】
【図１】本発明の第１実施形態に係る電子時計を示す概略図。
【図２】第１実施形態に係る電子時計を表面側から見た平面図。
【図３】第１実施形態に係る電子時計を示す断面図。
【図４】第１実施形態に係る電子時計の制御ブロック図。
【図５】第１実施形態における電子時計の通常時刻表示モードの処理を示すフローチャート。
【図６】図５に示す機能実行処理の実行手順を示すフローチャート。
【図７】図６に示す第１機能部実行処理の実行手順を示すフローチャート。
【図８】図６に示す第２機能部実行処理の実行手順を示すフローチャート。
【図９】図６に示す第３機能部実行処理の実行手順を示すフローチャート。
【図１０】第２実施形態における電子時計を表面側から見た平面図。
【図１１】変形例における第３小窓を示す概略図。
【図１２】他の変形例における第３小窓を示す概略図。
【図１３】他の変形例における第３小窓を示す概略図。
【図１４】他の変形例における第３小窓を示す概略図。
【図１５】他の変形例における第３小窓を示す概略図。
【図１６】他の変形例における第３小窓を示す概略図。
【図１７】他の変形例における第３小窓を示す概略図。
【発明を実施するための形態】
【００２４】
以下、本発明の具体的な実施形態を図面に基づいて説明する。
［電子時計を含むＧＰＳの概略構成］
図１は、第１実施形態に係る電子時計１０を示す概略図である。まず、電子時計１０が、外部信号としての電波を用いて、現在地の位置情報と、時刻情報とを求めるＧＰＳの概要を説明する。
【００２５】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２６】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２７】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００２８】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２９】
［電子時計の概略構成］
図２は、電子時計を表面側から見た平面図であり、図３は、電子時計の概略を示す部分断面図である。本実施形態の電子時計１０は、第３機能部としてクロノグラフ機能を備えている。
【００３０】
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００３１】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透して、視認可能となっている。
【００３２】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリューズ５０とが、設けられている。これらのＡボタン６１、Ｂボタン６２、Ｃボタン６３、Ｄボタン６４およびリューズ５０が操作されることにより、操作に応じた操作信号が出力される。
【００３３】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、各指針２１，２２，２３，７１，８１，９１を駆動する駆動機構１４０などが備えられている。
指針軸２５は、外装ケース３０の平面視中心を通り、表裏方向に延在する中心軸に沿って設けられている。
【００３４】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３５】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３６】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００３７】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、表示装置１４１を構成する各指針を駆動する。
すなわち、第１駆動機構は、内部時計（現在時刻）の「分」および「時」を示す指針（分針）２２および指針（時針）２３を駆動する。また、図２に示す指針２１、第１小窓７０の指針７１、第２小窓８０の指針８１および第３小窓９０の指針９１も同様の駆動機構（図示略）で駆動される。すなわち、第２駆動機構はクロノグラフ機能の「秒」を示す指針（クロノグラフ秒針）２１を駆動し、第３駆動機構はクロノグラフ機能の「分」を示す指針（クロノグラフ分針）７１を駆動し、第４駆動機構は、内部時計の「秒」を示す指針（小秒針）８１を駆動し、第５駆動機構はクロノグラフ機能の「時」を示す指針（クロノグラフ時針）９１を駆動する。
【００３８】
回路基板１２０は、本発明の受信手段および情報取得手段としての受信部（ＧＰＳモジュール）１２１、制御装置３００、記憶装置１５０、およびリチウムイオン電池などの二次電池１３０を備えている。二次電池１３０は、ソーラーパネル１３５が発電した電力で充電される。また、この回路基板１２０とアンテナ体１１０とは、アンテナ接続ピン１１５を用い接続されている。
【００３９】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００４０】
［電子時計の表示機構］
文字板１１の最外周には、図２に示すように、外周を６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００４１】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００４２】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、本発明の小窓に設けられる受信結果を示す表示に該当し、衛星から受信した衛星信号に基づく各種情報の取得結果（Ｙ：受信（取得）成功、Ｎ：受信（取得）失敗）と、衛星信号の自動受信（Ｙ：自動受信ＯＮ、Ｎ：自動受信ＯＦＦ）の設定とを表す。ユーザーがＢボタン６２を操作することにより、受信結果の表示モードに移行すると、指針８１が「Ｙ」または「Ｎ」のいずれか一方を指示し、衛星信号の取得結果を表示する。また、ユーザーがＡボタン６１とＢボタン６２とを操作して、指針８１を「Ｙ」または「Ｎ」に合わせることで、衛星信号の自動受信のＯＮ／ＯＦＦを設定することができる。
【００４３】
また、第２小窓８０は、文字板１１の左半分の領域に位置しているため、アルファベットの「Ｙ」，「Ｎ」は、幅の広い指針２２，２３が当該第２小窓８０に重なるように位置した場合でも、当該アルファベット「Ｙ」，「Ｎ」が認識し易いように第２小窓８０の左半分の領域の外縁近傍に配置されている。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。例えば、第２小窓８０が文字板１１の右半分の領域に位置している場合には、アルファベット「Ｙ」，「Ｎ」を第２小窓８０の右半分の領域の外縁近傍に配置するようにしてもよい。
【００４４】
文字板１１に設けられている円形の第３小窓９０の外周に表示された帯状の目盛表示部９３について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の目盛表示部９３には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００４５】
第３小窓９０の６時方向から７時方向の範囲の目盛表示部９３には、「ＤＳＴ」の英字と「ＯＮ、ＯＦＦ」の英字が表記されている。ＤＳＴ（daylight saving time）は夏時間を意味する。前記ＯＮ、ＯＦＦの英字は、夏時間（ＤＳＴ：夏時間ＯＮ、○：夏時間ＯＦＦ）の設定を表す。ユーザーがリューズ５０とＢボタン６２を操作して、指針９１を「ＯＮ」または「ＯＦＦ」に合わせることで、電子時計１０に夏時間のＯＮ／ＯＦＦを設定することができる。
【００４６】
第３小窓９０の７時方向から９時方向までの範囲の目盛表示部９３には、円周に沿って、「Ｅ」、「Ｍ」、「Ｆ」の英字が表記されている。この英字は二次電池１３０のパワーインジケーターであり、電池の残量に応じて、指針９１が「Ｅ」、「Ｍ」、「Ｆ」のいずれかを指し示す。
【００４７】
第３小窓９０の１０時方向の目盛表示部９３には、「ＯＦＦ」の英字が表記されている。この英字は、機内モード（受信禁止モード）を表す。航空機の離着陸時は、航空法によって衛星信号の受信が禁止されている。
【００４８】
第３小窓９０の１０時方向から１２時方向までの範囲の外周には、「ＴＩＭＥ」の英字と「ＦＩＸ」の英字が表記されている。これらの英字は、衛星信号の受信モードを表す。「ＴＩＭＥ」はＧＰＳ時刻情報を受信し内部時刻を修正する測時モードを示し、「ＦＩＸ」はＧＰＳ時刻情報と軌道情報とを受信して位置情報を算出する測位モードを示す。
【００４９】
カレンダー小窓１５は、文字板１１を矩形状に開口した開口部に設けられており、開口部から日車の数字が視認可能となっている。この数字は、年月日の「日」を表す。
【００５０】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５１】
上述したように、文字板１１には、６０分割された分および秒を表示する目盛が刻まれ、文字板１１の外周部を囲むダイヤルリング４０には、この目盛に沿って、協定世界時（ＵＴＣ）との時差を表す時差情報４５が数字と、数字以外の記号と、で表記されている。数字の時差情報４５は整数の時差であり、記号の時差情報４５は整数以外の時差であることを表している。指針２２，２３，８１で表示された内部時刻と、ＵＴＣとの時差は、リューズ５０の操作により指針２１の指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５と都市情報３５との表記をタイムゾーン表示４６という。本実施形態では、全世界で使用されているタイムゾーンの数と等しいタイムゾーン表示４６が表記されている。
【００５２】
［電子時計の電気的機構］
図４は、電子時計の電気制御ブロック図である。
電子時計１０は、図４に示すように、ＣＰＵ（中央処理装置）で構成される制御装置３００と、ＲＡＭ（Random Access Memory）やＲＯＭ（Read Only Memory）で構成される記憶装置１５０と、受信装置（ＧＰＳモジュール）１２１、操作部１５７、駆動機構１４０、計時装置１５５の周辺装置とを備えている。これらの各装置は、データバスを介してデータを送受信する。操作部１５７は、図２に示すリューズ５０、Ａボタン６１、Ｂボタン６２、Ｃボタン６３、Ｄボタン６４である。なお、電子時計１０は、電源となる充電可能な二次電池１３０（図３参照）を内蔵している。二次電池１３０は、ソーラーパネル１３５から充電回路１３６を介して供給される電力で充電される。
【００５３】
受信部１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図２に示すカバーガラス３３とダイヤルリング４０とを通過した衛星信号の電波を受信する。
【００５４】
そして、受信部１２１は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。したがって、受信部１２１によって受信手段が構成される。
【００５５】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５６】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５７】
情報取得手段は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得手段は、受信した航法メッセージから所定のデータ部分を抽出することにより、ＧＰＳ時刻情報や航法情報を取得することができる。
【００５８】
また、サブフレーム４および５は、全衛星の軌道情報（アルマナック）や電離層補正情報が含まれ、これらはデータ数が多いためにページ単位に分割されてサブフレームに収容される。すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。なお、閏秒情報（閏秒更新情報）は、サブフレーム４のページ１８に格納されており、当該サブフレーム４のページ１８を受信すれば、閏秒情報を取得できる。
【００５９】
［計時装置］
計時装置１５５は、二次電池１３０に蓄積された電力で駆動される水晶振動子等を備え、水晶振動子の発振信号に基づく基準信号を用いて時刻データを更新する。
【００６０】
［記憶装置］
電子時計１０の記憶装置１５０は、前述したように、ＲＯＭおよびＲＡＭを備える。ＲＯＭには、制御装置３００で実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
制御装置３００は、記憶装置１５０のＲＡＭを作業領域として使用し、ＲＯＭに記憶されたプログラムを実行することにより、各種の演算、制御および計時を行う。この計時は、例えば、不図示の発振回路からの基準信号のパルス数を計数することによって行われる。
【００６１】
制御装置３００は、ＧＰＳ時刻情報と時刻補正パラメーターとから算出した時刻情報と、ＧＰＳ時刻情報と軌道情報とから算出した現在地の位置情報（緯度、経度）と、ＲＯＭに記憶されたタイムゾーン情報とに基づいて内部時計を修正する。制御装置３００は、内部時刻が表示されるように、駆動機構１４０を駆動する制御を行う。これにより、電子時計１０には、指針２２，２３，８１（図２参照）により内部時刻が表示される。
【００６２】
なお、記憶装置１５０には、位置情報衛星の軌道情報（アルマナック、エフェメリス）は記憶されていない。電子時計１０は、腕時計であり、記憶装置１５０の容量にも制約があり、また、二次電池１３０の容量にも制約があって軌道情報を取得するために長時間の受信を行うことが難しいためである。したがって、電子時計１０の受信処理は、軌道情報を有していないコールドスタート状態で行われる。
【００６３】
［制御装置］
制御装置３００は、電子時計１０を制御するＣＰＵで構成されている。制御装置３００は、第１機能部（測時部）３１０と、第２機能部（測位部）３２０と、第３機能部（クロノグラフ部）３３０と、タイムゾーン設定部３４０と、タイムゾーン修正部３５０と、時刻修正部３６０を備える。
【００６４】
［第１機能部（測時部）］
第１機能部３１０は、受信部１２１を作動して測時モードでの受信処理を行う測時部で構成される。本実施形態では、第１機能部３１０は、自動受信処理と手動受信処理とで測時モードでの受信処理を実行する。
自動受信処理は、定時自動受信処理と、光自動受信処理の２種類がある。すなわち、第１機能部３１０は、計時している内部時刻データが、記憶装置１５０に記憶された定時受信時刻になった場合に、受信部１２１を作動して測時モードでの定時自動受信処理を行う。
また、第１機能部３１０は、ソーラーパネル１３５の発電電圧または発電電流が設定値以上となり、屋外においてソーラーパネル１３５に日光が照射していると判断できる場合に、受信部１２１を作動して測時モードでの光自動受信処理を行う。なお、ソーラーパネル１３５の発電状態で受信部１２１を作動する処理の回数は、１日に１回などに制約してもよい。
さらに、利用者が操作部１５７のＢボタン６２を第１設定時間（３秒以上、６秒未満）押して強制受信操作を行った場合、第１機能部３１０は、受信部１２１を作動して測時モードでの手動受信処理を行う。
【００６５】
第１機能部３１０は、受信部１２１で少なくとも１つのＧＰＳ衛星８を捕捉し、そのＧＰＳ衛星８から送信される衛星信号を受信して時刻情報を取得する。そして、時刻修正部３６０は、時刻情報の取得に成功した場合、取得した時刻情報で現在時刻表示を更新する。
【００６６】
［第２機能部（測位部）］
第２機能部３２０は、利用者が操作部１５７のＢボタン６２を第２設定時間（６秒以上）押して離した場合に、受信部１２１を作動して測位モードでの受信処理を行う。したがって、Ｂボタン６２は、測時モードおよび測位モードの受信処理の実行を指示する受信ボタンである。
【００６７】
第２機能部３２０は、測位モードでの受信処理を開始すると、受信部１２１で少なくとも３個、好ましくは４個以上のＧＰＳ衛星８を捕捉し、各ＧＰＳ衛星８から送信される衛星信号を受信して時刻情報を取得し、さらに位置情報を算出して取得する。
そして、制御装置３００は、位置情報の取得に成功した場合、取得した位置情報（緯度、経度）に基づいてタイムゾーンデータ（時差情報）を取得して設定する。
例えば、日本標準時（ＪＳＴ）は、ＵＴＣに対して９時間進めた時刻（ＵＴＣ＋９）であるため、測位モードで取得した位置情報が日本である場合には、制御装置３００は、日本標準時の時差情報（＋９時間）を設定する。このため、指針２２，２３，８１で表示される時刻は、ＵＴＣにタイムゾーンデータを加算した時刻となる。
【００６８】
［第３機能部］
第３機能部３３０は、本実施形態ではクロノグラフ機能を実行する。時刻表示モードにおいて、Ｃボタン６３が押されると、第３機能部３３０が実行され、クロノグラフがスタートする。また、Ｃボタン６３が再度押されると、クロノグラフがストップし、ストップ状態でＤボタン６４が押されると、クロノグラフがリセットされて時刻表示モードに戻る。したがって、Ｃボタン６３は、第３機能部３３０の実行を指示する機能ボタンである。
【００６９】
［タイムゾーン設定部］
タイムゾーン設定部３４０は、第２機能部３２０で位置情報の取得に成功した場合、取得した位置情報（緯度、経度）に基づいてタイムゾーンデータを設定する。具体的には、記憶装置１５０に記憶されたタイムゾーンデータ記憶部から位置情報に対応するタイムゾーンデータ（タイムゾーン情報つまり時差情報）を選択して取得し、タイムゾーンデータとして設定する。
【００７０】
［タイムゾーン修正部］
タイムゾーン修正部３５０は、タイムゾーン設定部３４０がタイムゾーン情報を設定すると、指針２２，２３，８１で表示される時刻を、前記タイムゾーンデータを用いて修正する。
【００７１】
［時刻修正部］
時刻修正部３６０は、第１機能部３１０や第２機能部３２０の受信処理で時刻情報の取得に成功した場合、取得した時刻情報に基づいて駆動機構１４０によって指針２１，２２，２３を移動し、時刻表示を更新する。
【００７２】
［電子時計の制御］
次に、電子時計１０の制御処理について、図５〜９のフローチャートも参照して説明する。
［通常時刻表示モード］
図５は、電子時計１０において、通常時刻を表示する通常時刻表示モードＳ１の処理を示すフローチャートである。この通常時刻表示モードでは、計時装置１５５で計時される通常時刻が指針（時針）２３、指針（分針）２２、指針（小秒針）８１により表示される。また、カレンダー小窓１５に表示される日車の数字で日を示す。
【００７３】
この通常時刻表示モードにおいて、制御装置３００は、ボタン操作があるかを判定する（Ｓ２）。Ｓ２でＮｏと判定されると、制御装置３００は、電池電圧検出タイミングになったか否かを判定する（Ｓ３）。この電池電圧検出タイミングは、本実施形態では１分間隔に設定している。Ｓ３でＮｏと判定された場合は、制御装置３００はＳ２に戻って処理を継続する。
【００７４】
Ｓ３でＹｅｓと判定されると、制御装置３００は、電池電圧検出処理を行う（Ｓ４）。
次に、制御装置３００は、Ｓ４で検出した電池電圧（電池残量）が第１閾値（例えば、４．０Ｖ）以上であるかを判定する（Ｓ５）。
【００７５】
制御装置３００は、Ｓ５でＹｅｓと判定すると、指針（モード針）９１を第３小窓９０の目盛表示部９３のうちの「Ｆ」を指示する位置に移動し、受信許可モードに設定する（Ｓ６）。
制御装置３００は、Ｓ５でＮｏと判定すると、Ｓ４で検出した電池電圧が第２閾値（例えば、３．６Ｖ）以上であるかを判定する（Ｓ７）。
制御装置３００は、Ｓ７でＹｅｓと判定すると、つまり検出した電池電圧が３．６Ｖ以上、４．０Ｖ未満の場合、指針（モード針）９１を第３小窓９０の目盛表示部９３のうちの「Ｍ」を指示する位置に移動し、受信許可モードに設定する（Ｓ８）。
制御装置３００は、Ｓ７でＮｏ判定すると、つまり検出した電池電圧が３．６Ｖ未満（検出できなかった場合も含む）の場合、指針（モード針）９１を第３小窓９０の目盛表示部９３のうちの「Ｅ」を指示する位置に移動し、受信禁止モードに設定する（Ｓ９）。
【００７６】
ここで、目盛「Ｆ」は「Ｆｕｌｌ」の略であり、「Ｍ」は「Ｍｉｄｄｌｅ」の略であり、「Ｅ」は「Ｅｍｐｔｙ」の略である。したがって、利用者は、二次電池１３０の電池残量が十分にあるのか（Ｆの場合）、半分程度であるのか（Ｍの場合）、ほとんど無く受信できない状態であるのか（Ｅの場合）を容易に判断できる。
そして、制御装置３００は、Ｓ６，Ｓ８，Ｓ９の処理後は、通常時刻表示モードＳ１のスタートに戻る。
【００７７】
また、制御装置３００は、Ｓ２でボタン操作有りと判定した場合（Ｓ２でＹｅｓ）、図６に示す機能実行処理Ｓ１０を実行する。
【００７８】
［機能実行処理］
機能実行処理Ｓ１０が実行されると、制御装置３００は、Ａボタン６１、Ｂボタン６２、６３、Ｄボタン６４のいずれのボタンがどのように操作されたかを判定する。
具体的には、受信関係の機能を実行するＢボタン６２を操作した場合、制御装置３００は、Ｂボタン６２が第１設定時間（例えば、３秒以上、６秒未満）押されたかを判定し（Ｓ１１）、Ｓ１１でＮｏの場合はＢボタン６２が第２設定時間（例えば、６秒以上）押されたかを判定し（Ｓ１２）、Ｓ１２でＮｏの場合はＢボタン６２が第１設定時間未満（例えば、３秒未満）押されたかを判定する（Ｓ１３）。
また、制御装置３００は、Ｓ１３でＮｏの場合はＡボタン６１が所定時間（例えば、３秒以上）押されたかを判定し（Ｓ１４）、Ｓ１４でＮｏの場合はＣボタン６３が押されたかを判定し（Ｓ１５）、Ｓ１５でＮｏの場合はリューズが０段目から１段目に引かれた状態（１段引き状態）でＢボタン６２が所定時間（例えば、３秒以上）押されたかを判定する（Ｓ１６）。
【００７９】
一方、制御装置３００は、Ｓ１１でＹｅｓと判定した場合は、第１機能部３１０を実行し（Ｓ２０）、Ｓ１２でＹｅｓと判定した場合は、第２機能部３２０を実行し（Ｓ３０）、Ｓ１３でＹｅｓと判定した場合は、受信結果表示処理を実行する（Ｓ１７）。ただし、Ｓ９で受信禁止に設定されている場合は、Ｓ２０，Ｓ３０の処理は禁止される。
また、制御装置３００は、Ｓ１４でＹｅｓと判定した場合は、受信の許可（ＯＮ）、禁止（ＯＦＦ）の切替処理を実行し（Ｓ１８）、Ｓ１５でＹｅｓと判定した場合は、第３機能部３３０を実行し（Ｓ４０）、Ｓ１６でＹｅｓと判定した場合は、ＤＳＴ（サマータイム）のＯＮ／ＯＦＦの切替処理を実行する（Ｓ１９）。
そして、制御装置３００は、各処理Ｓ２０，Ｓ３０，Ｓ１７，Ｓ１８，Ｓ４０，Ｓ１９を実行した場合と、Ｓ１６でＮｏと判定した場合は、図５の通常時刻表示モードＳ１に戻る。
以下に前記各処理Ｓ２０，Ｓ３０，Ｓ１７，Ｓ１８，Ｓ４０，Ｓ１９について説明する。
【００８０】
［第１機能部実行処理］
図７は第１機能部実行処理（測時受信処理）Ｓ２０を示すフローチャートである。
Ｂボタン６２を第１設定時間押したことで、第１機能部３１０の実行処理Ｓ２０が開始されると、図７に示すように、第１機能部３１０は測時モードでの受信を開始する（Ｓ２１）。また、第１機能部３１０は、指針（モード針）９１を測時モードを指示する位置、つまり目盛表示部９３の「ＴＩＭＥ」を指示する位置に移動する（Ｓ２２）。
【００８１】
第１機能部３１０は、Ｃボタン６３が押されたかを判定する（Ｓ２３）。第１機能部３１０は、Ｓ２３でＹｅｓと判定した場合、受信を中止し（Ｓ２４）、第３機能部３３０の実行処理Ｓ４０を開始する。
すなわち、本実施形態では、受信中に、クロノグラフ機能のスタートボタン（Ｃボタン６３）が押された場合には、受信を中止してクロノグラフをスタートする。第３機能部３３０の実行処理Ｓ４０の詳細は後述する。
【００８２】
第１機能部３１０は、Ｓ２３でＮｏと判定した場合、Ａボタン６１が押されたかを判定する（Ｓ２５）。第１機能部３１０は、Ｓ２５でＹｅｓと判定した場合、受信を中止し（Ｓ２４）、第１機能部実行処理Ｓ２０を終了する。すなわち、本実施形態では、測時モードでの受信中にＡボタン６１が押されると、第１機能部３１０は受信処理をキャンセルして中止する。したがって、Ａボタン６１は、第１機能部３１０の実行の中断を指示するボタンである。
そして、第１機能部３１０は、Ｓ２５でＮｏと判定した場合、測時モードでの受信に成功したかを判定する（Ｓ２６）。第１機能部３１０は、Ｓ２６でＮｏと判定した場合、予め設定された受信時間（例えば３０秒）が経過したかを判定し（Ｓ２７）、Ｓ２７でＮｏと判定した場合はＳ２３に戻って処理を継続する。
一方、第１機能部３１０は、Ｓ２７でＹｅｓと判定した場合、つまり３０秒経過しても衛星信号の受信に成功しない場合は、電子時計１０が衛星信号を受信できない環境に配置されていると判断し、第１機能部実行処理Ｓ２０を終了する。
【００８３】
第１機能部３１０は、受信に成功してＳ２６でＹｅｓと判定すると、取得した時刻情報を用いて時刻修正処理を行い（Ｓ２８）、指針２２，２３，８１で表示される表示時刻（現時刻）を更新する（Ｓ２９）。なお、この現時刻は、前回の測位受信や利用者がリューズ５０を操作することで設定したタイムゾーンに対応した場所の時刻であり、通常は、電子時計１０を装着した利用者が滞在している現地のローカルタイムである。
【００８４】
第１機能部３１０は、Ｓ２７でＹｅｓと判定つまり受信に失敗した場合と、Ｓ２９で表示時刻更新が終了した場合と、Ｓ２５でＹｅｓと判定つまり受信の中断が指示された場合は、第１機能部実行処理Ｓ２０を終了し、図５，６に示すように、通常時刻表示モードＳ１に戻る。
【００８５】
［第２機能部実行処理］
図８は第２機能部実行処理（測位受信処理）Ｓ３０を示すフローチャートである。
Ｂボタン６２を第２設定時間押したことで、第２機能部３２０の実行処理Ｓ３０が開始されると、図８に示すように、第２機能部３２０は測位モードでの受信を開始する（Ｓ３１）。また、第２機能部３２０は、指針（モード針）９１を測位モードを指示する位置、つまり目盛表示部９３の「ＦＩＸ」を指示する位置に移動する（Ｓ３２）。
【００８６】
第２機能部３２０は、Ｃボタン６３が押されたかを判定する（Ｓ３３）。第２機能部３２０は、Ｓ３３でＹｅｓと判定した場合、第１機能部３１０と同じく、受信を中止し（Ｓ３４）、第３機能部３３０の実行処理Ｓ４０を開始する。
【００８７】
第２機能部３２０は、Ｓ３３でＮｏと判定した場合、Ａボタン６１が押されたかを判定する（Ｓ３５）。第２機能部３２０は、Ｓ３５でＹｅｓと判定した場合、受信を中止し（Ｓ３４）、第２機能部実行処理Ｓ３０を終了する。すなわち、測位モードでの受信中に、Ａボタン６１が押された場合も、測時モードでの受信中と同じく、第２機能部３２０は受信処理をキャンセルして中止する。したがって、Ａボタン６１は、第１機能部３１０および第２機能部３２０の実行の中断を指示するボタンとして兼用されている。
そして、第２機能部３２０は、Ｓ３５でＮｏと判定した場合、測位モードでの受信に成功したかを判定する（Ｓ３６）。第２機能部３２０は、Ｓ３６でＮｏと判定した場合、予め設定された受信時間（例えば２分）が経過したかを判定し（Ｓ３７）、Ｓ３７でＮｏと判定した場合はＳ３３に戻って処理を継続する。
一方、第２機能部３２０は、Ｓ３７でＹｅｓと判定した場合、つまり２分経過しても衛星信号の受信に成功しない場合は、電子時計１０が少なくとも３つのＧＰＳ衛星８を捕捉して衛星信号を受信できない環境に配置されていると判断し、第２機能部実行処理Ｓ３０を終了する。
【００８８】
第２機能部３２０は、受信に成功してＳ３６でＹｅｓと判定すると、取得した時刻情報を用いて時刻修正処理を行い（Ｓ３８）、算出した位置情報に基づいてタイムゾーンを修正し（Ｓ３９）、指針２２，２３，８１を移動して修正されたタイムゾーンの現時刻（ローカルタイム）を更新する（Ｓ５０）。
【００８９】
第２機能部３２０は、Ｓ３７でＹｅｓと判定、つまり受信に失敗した場合と、Ｓ５０で表示時刻更新が終了した場合と、Ｓ３５でＹｅｓと判定つまり受信の中断が指示された場合は、第２機能部実行処理Ｓ３０を終了し、図５，６に示すように、通常時刻表示モードＳ１に戻る。
【００９０】
［受信結果表示］
Ｂボタン６２を第１設定時間（例えば３秒）未満押したことで、受信結果表示処理Ｓ１７が実行されると、制御装置３００は、前回の受信結果を表示する。具体的には、制御装置３００は、指針（モード針）９１を、前回の受信モードが測時モードであればＴＩＭＥを指示する位置に移動し、測位モードであればＦＩＸを指示する位置に移動する。また、制御装置３００は、指針（小秒針）８１を、前回の受信結果が成功であれば第２小窓８０の「Ｙ」を指示する位置に移動し、前回の受信結果が失敗であれば第２小窓８０の「Ｎ」を指示する位置に移動する。この受信結果表示は、所定時間（例えば５秒）経過すると終了し、通常時刻表示モードＳ１に戻る。また、受信結果表示は、Ｂボタン６２を再度押したり、表示キャンセル用に設定されたボタン（例えばＤボタン６４）を押すことで終了してもよい。
【００９１】
［受信のＯＮ／ＯＦＦの設定］
Ａボタン６１を設定時間（例えば３秒以上）押したことで、受信ＯＮ／ＯＦＦ切替処理Ｓ１８が実行されると、制御装置３００は、受信の許可（ＯＮ）、禁止（ＯＦＦ）の各モードを交互に切り替える。具体的には、制御装置３００は、受信禁止モード（ＯＦＦモード、機内モード）であれば、指針（モード針）９１を目盛表示部９３の１０時方向の「ＯＦＦ」を指示する位置に移動する。すなわち、指針９１を目盛表示部９３の「Ｆ」と「ＴＩＭＥ」の間の「ＯＦＦ」を指示する位置に移動する。
一方、制御装置３００は、受信許可モード（ＯＮ）であれば、指針９１を通常時刻表示モードと同じく電池電圧レベルを指示する位置（Ｆ，Ｍ，Ｅのいずれか）に移動する。
そして、制御装置３００は、受信禁止モード（ＯＦＦモード）に設定されている場合は、第１機能部３１０、第２機能部３２０の受信処理（自動受信、手動受信の両方）を禁止する。すなわち、Ｂボタン６２が第１設定時間や第２設定時間押されても、第１機能部３１０や第２機能部３２０は処理を開始せず、指針９１を「ＯＦＦ」の位置に移動する。このため、飛行機に搭乗している場合に衛星信号の受信動作が開始されることを禁止でき、受信操作を行っても指針９１が「ＯＦＦ」の位置を指示するため、利用者は受信禁止モードに設定されていることを容易に把握できる。
この受信禁止モード（ＯＦＦ）の表示は、所定時間（例えば５秒）経過すると終了し、通常時刻表示モードＳ１に戻る。また、受信禁止モード（ＯＦＦ）の表示は、Ａボタン６１を再度押したり、表示キャンセル用に設定されたボタン（例えばＤボタン６４）を押すことで終了してもよい。
【００９２】
［第３機能部実行処理］
図９は第３機能部実行処理（クロノグラフ処理）Ｓ４０を示すフローチャートである。
Ｃボタン６３を押したことで、第３機能部３３０の実行処理Ｓ４０が開始されると、図９に示すように、第３機能部３３０はクロノグラフ機能をスタートする（Ｓ４１）。
すると、第３機能部３３０は、指針（１／５秒クロノグラフ針）２１、指針（分クロノグラフ針）７１、指針（時クロノグラフ針）９１の運針を開始する（Ｓ４２）。具体的には、指針２１が１２時位置（０秒位置）から時計回りに動き出す。また、指針９１は、０時間である１２時位置の初期位置に移動する。なお、指針７１は、通常時刻表示モードで０分である６０分位置に位置しているので、その状態のままスタートする。
【００９３】
指針２１は６０秒経過する毎に１周移動し、指針７１は指針２１が１周する毎に、つまり１分毎に１目盛（１分）移動する。さらに、指針７１は６０分経過する毎に１周移動し、指針９１は指針７１が１周する毎に、つまり１時間毎に１目盛（１時間）移動する。
指針９１は最大で６時間の位置まで移動する。したがって、第３機能部実行処理（クロノグラフ処理）Ｓ４０は、最大で６時間計測できる。
【００９４】
第３機能部３３０は、クロノグラフの動作中に、Ｃボタン６３が押されたかを判定し（Ｓ４３）、押された場合にはクロノグラフ動作をストップする（Ｓ４４）。すると、各指針２１，７１，９１も停止する（Ｓ４５）。
第３機能部３３０は、クロノグラフ動作の停止中に、Ｄボタン６４が押されたかを判定し（Ｓ４６）、Ｓ４６でＮｏの場合、Ｃボタン６３が押されたかを判定する（Ｓ４７）。
第３機能部３３０は、Ｓ４７でＮｏの場合は、Ｓ４６に戻って処理を継続する。
第３機能部３３０は、Ｓ４７でＹｅｓの場合、つまり再度Ｃボタン６３が押された場合は、Ｓ４１に戻ってクロノグラフ動作を再開する。
【００９５】
また、第３機能部３３０は、クロノグラフ動作の停止中に、Ｄボタン６４が押されてＳ４６でＹｅｓと判定した場合は、クロノグラフ動作をリセット（中断）する（Ｓ４８）。したがって、Ｄボタン６４は、第３機能部３３０の実行の中断を指示するボタンである。そして、第３機能部３３０は、指針２１、７１を初期位置である１２時位置に戻し、指針９１は通常時刻表示モードと同様に電池残量表示に戻す（Ｓ４９）。
そして、第３機能部３３０は第３機能部実行処理Ｓ４０を終了し、図５，６に示すように、通常時刻表示モードＳ１に戻る。
【００９６】
［タイムゾーンの確認および変更］
リューズ５０を１段引き状態にすると、設定中のタイムゾーンが確認できる。制御装置３００は、指針２１を現在設定されているタイムゾーンの都市名および時差表示を指示する位置に移動する。
この状態で、リューズ５０を正転（時計回り）に回転すると、制御装置３００は、タイムゾーンの時差を「＋１」して、指針２１も時計回りに移動する。リューズ５０を逆転（反時計回り）に回転すると、制御装置３００は、タイムゾーンの時差を「−１」して、指針２１も反時計回りに移動する。
このタイムゾーンの変更に伴い、制御装置３００は、指針２２，２３の指示位置を指針２１が示すタイムゾーンの時刻に変更する。
【００９７】
［ＤＳＴのＯＮ／ＯＦＦの設定］
そして、リューズ５０が１段引き状態では、指針９１は、ＤＳＴのＯＮ／ＯＦＦを表示する。この状態で、Ｂボタン６２を３秒以上押すと、制御装置３００は、ＤＳＴのＯＮ／ＯＦＦ切替処理Ｓ１９を実行する。制御装置３００は、ＤＳＴのＯＮ、ＯＦＦの各モードを交互に切り替える。
そして、リューズ５０を０段位置まで押し込むと、ＤＳＴのＯＮ／ＯＦＦ切替処理Ｓ１９が終了し、通常時刻表示モードＳ１に戻る。
【００９８】
［第１実施形態の作用効果］
上述した本発明の第１実施形態における電子時計１０によれば、以下の効果を奏する。
すなわち、Ｂボタン６２の押し時間を変更することで、第１機能部３１０による第１機能部実行処理（測時受信処理）Ｓ２０と、第２機能部３２０による第２機能部実行処理（測位受信処理）Ｓ３０とを実行できる。また、Ｃボタン６３を押すことで、第３機能部３３０による第３機能部実行処理（クロノグラフ処理）Ｓ４０を実行できる。このように、各ボタン６２，６３の各一回の操作で、各機能部３１０，３２０，３３０の実行を開始できるので、モード選択操作を行ってから、実行開始操作を行うことで二回の操作で実行する場合に比べて、操作性を向上できる。したがって、利用者は、多機能の電子時計１０を操作性よく扱うことができ、ユーザビリティを向上できる。
【００９９】
また、モード針となる指針９１を備えており、各機能部３１０，３２０，３３０を実行した際に、利用者は指針９１の指示位置を確認することで、現在実行されている機能を容易に把握できる。したがって、利用者は意図した機能が実行されているかを容易に確認でき、この点でもユーザビリティを向上できる。
さらに、モード針である指針９１は、第３機能部３３０によるクロノグラフ機能が実行されている場合には、時クロノグラフ針として機能し、クロノグラフの時間を指示するインジケーター針として用いられるので、利用者は第３機能が実行されていることと、クロノグラフ機能による測定値とを同時に確認できる。
【０１００】
さらに、第１機能部３１０や第２機能部３２０が実行中であっても、Ｃボタン６３を押すことで第３機能部３３０を実行してクロノグラフを開始できる。このため、時間計測操作を他の操作に比べて優先できるので、時間計測を開始したい利用者の希望に応えることができ、この点でもユーザビリティを向上できる。
【０１０１】
第１機能部３１０による測時受信と、第２機能部３２０による測位受信とは、同じＢボタン６２の押す時間を変えることで選択しており、第３機能部３３０は別のＣボタン６３を押すことで実行するため、ボタン数を抑制しつつ操作性を向上できる。したがって、腕時計においても、ボタン数と操作性とを両立できる。
さらに、第１機能部３１０および第２機能部３２０の実行の中断を指示するＡボタン６１と、第３機能部３３０の実行の中断を指示するＤボタン６４とを設けたので、測時モードおよび測位モードの受信処理の中断指示用のボタンをＡボタン６１で兼用できる。したがって、第１機能部３１０、第２機能部３２０の実行中断用のボタンを別々に設ける必要が無く、ボタン数を少なくできる。
また、測時モードおよび測位モードのいずれの場合もＡボタン６１で実行を中断でき、クロノグラフ機能はＤボタン６４で実行を中断でき、機能別に中断ボタンが設定されているので、利用者は中断ボタンを把握しやすく、操作性を向上できる。
【０１０２】
［第２実施形態］
次に、本発明の第２実施形態について、図面に基づいて説明する。
図１０は、本発明の第２実施形態に係る電子時計１０Ａを示す正面図である。
電子時計１０Ａは、受信中や受信結果のモード表示を指針２１で行う点が前記第１実施形態と相違する。このため、指針９１は、時クロノグラフ針として機能する点は同じであるが、モード針としては、電池残量のみを表示する。
したがって、第１実施形態と異なる点についてのみ詳しく説明する。
【０１０３】
［通常時刻表示モード］
第２実施形態の電子時計１０Ａにおいても、制御装置３００は、第１実施形態の図５と同じ通常時刻表示モードの制御を行う。このため、一定時間間隔で電池電圧検出処理（図５のＳ４）を行い、その検出結果を指針９１で表示する。すなわち、検出した電池電圧が第１閾値（４．０Ｖ）以上であれば指針９１で「Ｆ」を指示し、第２閾値（３．６Ｖ）以上、第１閾値未満であれば指針９１で「Ｍ」を指示し、第２閾値未満であれば指針９１で「Ｅ」を指示する。
そして、ボタン操作が行われると、図６〜９と同じ機能実行処理を行う。
【０１０４】
［受信動作］
すなわち、電子時計１０Ａは、Ｂボタン６２が第１設定時間押されると、第１機能部３１０による第１機能部実行処理Ｓ２０を実行する。また、電子時計１０Ａは、Ｂボタン６２が第２設定時間押されると、第２機能部３２０による第２機能部実行処理Ｓ３０を実行する。各処理Ｓ２０，Ｓ３０は第１実施形態と同じであるため、説明を省略する。
なお、電子時計１０Ａでは、受信モードを示すモード針は、指針２１である。このため、第１機能部３１０で測時モードの受信処理が行われている場合は、指針２１は文字板１１に表示された「ＴＩＭＥ」の位置を指示し、第２機能部３２０で測位モードの受信処理が行われている場合は「ＦＩＸ」の位置を指示する。
【０１０５】
また、電子時計１０Ａは、Ａボタン６１が３秒以上押されると、受信ＯＮ／ＯＦＦ切替処理が実行される。そして、制御装置３００は、受信禁止モード（ＯＦＦモード、機内モード）に設定されると、指針（モード針）２１を文字板１１の「ＯＦＦ」を指示する位置に移動する。
さらに、受信禁止モード（ＯＦＦモード）に設定されている場合に、Ｂボタン６２が第１設定時間や第２設定時間押されても、第１機能部３１０や第２機能部３２０は処理を開始せず、指針２１を「ＯＦＦ」の位置に移動する。
【０１０６】
［クロノグラフ］
通常時刻表示モード、受信処理中にＣボタン６３を押すと、第１実施形態と同じく第３機能部３３０による第３機能部実行処理Ｓ４０が実行される。この処理Ｓ４０も第１実施形態と同じであるため、説明を省略する。
【０１０７】
［第２実施形態の作用効果］
第２実施形態の電子時計１０Ａによれば、前記第１実施形態と同様の作用効果を奏する上、次のような効果がある。
受信モードを指針９１に比べて長い指針２１で指示しているので、利用者は受信処理中の受信モードや受信禁止モードの設定が確認しやすくなり、ユーザビリティを向上できる。
また、指針９１は、モード針として機能する場合は、電池残量のみを指示すればよいので、利用者が指示内容を確認しやすくなり、この点でもユーザビリティを向上できる。
【０１０８】
［変形例］
なお、本発明は前述の実施形態に限定されるものではなく、本発明の目的を達成できる範囲での変形、改良等は本発明に含まれるものである。
【０１０９】
前記第１実施形態の電子時計１０では、指針９１はモード針として機能する場合（第３小窓９０の目盛表示部９３の左半分を指示する場合）、受信モード表示、電池残量表示、ＤＳＴの設定表示の複数の機能を兼用していたが、図１１（Ａ）に示すように、受信モードのみを表示するように設定してもよい。この図１１（Ａ）では、目盛表示部９３の左半分に受信モードを示す「ＯＦＦ」、「ＴＩＭＥ」、「ＦＩＸ」が表示される。なお、目盛表示部９３の右半分は時クロノグラフ針として機能する場合の目盛であり、第１実施形態と同じである。
そして、指針９１は、受信結果表示処理Ｓ１７のときに最後に受信した受信モードを指示する。受信結果は第１実施形態と同様に指針８１で指示する。また、第２実施形態のように、Ａボタン６１で受信モードを選択する場合には、指針９１は「ＯＦＦ」、「ＴＩＭＥ」、「ＦＩＸ」を順次移動する。
この例では、指針９１は、モード針として機能する場合は、受信モードのみを指示すればよいので、利用者が指示内容を確認しやすくなり、この点でもユーザビリティを向上できる。
【０１１０】
また、図１１（Ｂ）に示すように、目盛表示部９３の左半分に、受信モードと、受信結果を表示するように設定してもよい。この図１１（Ｂ）では、目盛表示部９３の左半分に受信モードを示す「ＯＦＦ」、「ＴＩＭＥ」、「ＦＩＸ」と、受信結果を示す「ＹＥＳ」、「ＮＯ」が表示される。なお、目盛表示部９３の右半分は時クロノグラフ針として機能する場合の目盛であり、第１実施形態と同じである。
そして、指針９１は、受信結果表示処理Ｓ１７のときに、まずは最後に受信した受信モードを指示し、一定時間経過後、あるいは再度Ｂボタン６２を押した場合に、指針９１は受信結果を成功（ＹＥＳ）、失敗（ＮＯ）を指示して示す。また、第２実施形態のように、Ａボタン６１で受信モードを選択する場合には、指針９１は「ＯＦＦ」、「ＴＩＭＥ」、「ＦＩＸ」を順次移動する。
この例では、指針９１は、モード針として機能する場合は、受信モードと受信結果を指示するので、利用者は１つの指針９１の指示のみを確認することで、受信モードおよび受信結果を確認できる。このため、指針９１、指針８１の２つの指針を確認する必要が無いため、指示内容を確認しやすくなり、この点でもユーザビリティを向上できる。
【０１１１】
さらに、図１２（Ａ）〜（Ｃ）に示すように、目盛表示部９３の左半分に、受信モード（ＯＦＦ、ＴＩＭＥ、ＦＩＸ）および電池残量（Ｅ，Ｍ，Ｆ）を表示するように設定してもよい。なお、図１２（Ａ）〜（Ｃ）は、表示の並び順が異なるものであり、図１２（Ａ）は、目盛表示部９３の左半分の下側から時計回りに、「Ｅ、Ｍ、Ｆ、ＯＦＦ、ＴＩＭＥ、ＦＩＸ」と並べたものであり、図１２（Ｂ）は、目盛表示部９３の左半分の下側から時計回りに、「ＦＩＸ、ＴＩＭＥ、ＯＦＦ、Ｅ、Ｍ、Ｆ」と並べたものである。また、図１２（Ｃ）は図１２（Ｂ）の「ＯＦＦ」と「Ｅ」を同じ位置に設定したものである。
これらの表示例によれば、前記第１実施形態に比べて、ＤＳＴの設定表示が無いため、指針９１の指示を確認しやすく、ユーザビリティを向上できる。
【０１１２】
また、図１３は、第１実施形態の電子時計１０に対して、目盛表示部９３の左半分に表示される記号を変更したものである。すなわち、電池残量の「Ｅ，Ｍ，Ｆ」の代わりに「Ｌ０，Ｌ１，Ｌ２」と表示し、受信モードの「ＦＩＸ、ＴＩＭＥ，ＯＦＦ」の代わりに「４＋」、「１」、飛行機のマークで表示したものである。すなわち、電池残量（電池電圧）をレベルを意味するＬ０〜Ｌ２で表示し、受信モードを４つ以上の衛星信号を受信する測時モード、１つの衛星信号でよい測時モード、受信を禁止する飛行機の機内モードを表示することで、利用者によっては理解しやすい場合があり、ユーザビリティを向上できる場合もある。
【０１１３】
また、図１４（Ａ）に示すように、目盛表示部９３の左半分に、曜日と、受信モードとを表示するように設定してもよい。この図１４（Ａ）では、目盛表示部９３の左半分に上から反時計回りに、「Ｓ、Ｍ、Ｔ、Ｗ，Ｔ，Ｆ、Ｓ」が表示され、それぞれ「日、月、火、水、木、金、土」を示す。さらに、受信モードを示す「ＯＦＦ」、「ＴＩＭＥ」、「ＦＩＸ」も表示される。
そして、通常時刻表示モードでは、指針９１で曜日を指示し、受信モード表示や、時クロノグラフ針として機能する場合には、それぞれの表示を指示すればよい。
この例では、曜日を指針９１で指示できるので、ユーザビリティを向上できる。
【０１１４】
図１４（Ｂ）は、目盛表示部９３の左半分は、図１３と同一である。また、目盛表示部９３の右半分は、第３機能部３３０としてカウントダウンタイマー機能を設定した場合の時間のカウントを示す目盛となっている。すなわち、計測時間を設定することで、最大６時間のカウントダウンタイマーとして機能させることができる。したがって、指針９１は、１時間が経過する毎に、反時計回りに−１時間分移動し、０時間の位置までカウントすることができる。
この例では、第３機能部３３０をカウントダウンタイマーとして機能させることができるので、残り時間を計測する場合に利便性が高い。
【０１１５】
図１５〜１７は、第２実施形態の変形例であり、図１５は温度計を設けて計測した温度を表示する例であり、図１６は高度計を設けて計測した高度を表示する例であり、図１７は脈拍計を設けて計測して脈拍数を表示する例である。
図１５の例では、通常時刻表示モードにおいて、Ｂボタン６２を３秒以上押すと、サーミスタなどの温度計を用いて温度を測定し、温度測定に成功した場合は指針９１を移動して測定温度を指示する。図１５の目盛表示部９３では、左半分に−２０℃（６時位置）から７０℃（１２時位置）まで指示できるように設定されている。
この温度測定表示は、設定時間、例えば３０秒間行われ、設定時間が経過すると、通常時刻表示モードに戻る。この場合、指針９１は初期位置である１２時位置に戻る。
【０１１６】
図１６の例では、通常時刻表示モードにおいて、Ｂボタン６２を３秒以上押すと、気圧計などの高度計を用いて高度を測定し、高度測定に成功した場合は指針９１を移動して測定高度を指示する。図１６の目盛表示部９３では、左半分に−２００ｍ（６時位置）から７００ｍ（１２時位置）まで指示できるように設定されている。なお、気圧計は、−１０００ｍ〜１００００ｍ程度の範囲を測定できるため、電子時計１０の製品の特性に応じて目盛を変更することができる。例えば、日常生活で使用される場合には、−１００ｍから６００ｍ程度の範囲の目盛に設定すればよいし、日本で登山用に使用される場合には、−１００ｍから４０００ｍ程度の範囲の目盛に設定すればよい。
この高度測定表示は、設定時間、例えば３０秒間行われ、設定時間が経過すると、通常時刻表示モードに戻る。この場合、指針９１は初期位置である１２時位置に戻る。
【０１１７】
図１７の例では、通常時刻表示モードにおいて、Ｂボタン６２を３秒以上押すと、脈拍計を用いて脈拍数を測定し、測定に成功した場合は指針９１を移動して脈拍数を指示する。
なお、脈拍計としては、光電センサーを使用し、腕の血管に流れる血液量を検出して脈拍数を算出するものなどが利用できる。脈拍数は、１分間の拍動の数（ｂｐｍ、beats per minute）で示される。
図１７の目盛表示部９３では、左半分に０ｂｐｍ（６時位置）から２７０ｂｐｍ（１２時位置）まで指示できるように設定されている。
この脈拍数測定表示は、設定時間、例えば３０秒間行われ、設定時間が経過すると、通常時刻表示モードに戻る。この場合、指針９１は初期位置である１２時位置に戻る。
【０１１８】
なお、指針９１で指示する測定値としては、歩数や消費カロリー、方位などでもよい。
要するに、第１機能部３１０、第２機能部３２０は、測時受信、測位受信の機能であるが、第３機能部３３０はそれ以外の機能を実行できるものであればよい。さらに、受信機能以外の機能は複数設定してもよい。例えば、前記実施形態や変形例のように、クロノグラフ機能を実行する第３機能部３３０に加えて、電池残量表示機能や、温度、高度、脈拍計などの測定機能を第４機能部として設けてもよいし、さらに他の機能を第５機能部として設けてもよい。
【０１１９】
操作部としては、各機能部毎に独立したボタンを設けてもよい。例えば、Ａボタン６１を第１ボタンとし、Ｂボタン６２を第２ボタンとし、Ｃボタン６３を第３ボタンとし、Ａボタン６１を押すと第１機能部３１０を実行し、Ｂボタン６２を押すと第２機能部３２０を実行し、Ｃボタン６３を押すと第３機能部３３０を実行するようにしてもよい。
また、操作部としては、１つのボタンの押す時間を変えることで各機能部を選択してもよい。例えば、Ｂボタン６２を第１設定時間（例えば３秒以上、６秒未満）押すと第１機能部３１０が実行され、第２設定時間（例えば６秒以上）押すと第２機能部３２０が実行され、第３設定時間（例えば１秒以上、３秒未満）押すと第３機能部３３０が実行されるように構成してもよい。
このボタン数は、機能部の数と電子時計１０のデザインなどを考慮して設定すればよい。
【０１２０】
位置情報衛星の例として、ＧＰＳ衛星８について説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる衛星も適用できる。
【符号の説明】
【０１２１】
１０、１０A…電子時計、２１，２２，２３，７１，８１，９１…指針、５０…リューズ、６１…Ａボタン、６２…Bボタン、６３…Ｃボタン、６４…Ｄボタン、７０…第１小窓、８０…第２小窓、９０…第３小窓、９３…目盛表示部、１２１…受信部、１３０…二次電池、１４０…駆動機構、１５０…記憶装置、１５７…操作部、３００…制御装置、３１０…第１機能部、３２０…第２機能部、３３０…第３機能部、３６０…時刻修正部。
【図１】
2015169493.tif 000003
【図２】
2015169493.tif 000004
【図３】
2015169493.tif 000005
【図４】
2015169493.tif 000006
【図５】
2015169493.tif 000007
【図６】
2015169493.tif 000008
【図７】
2015169493.tif 000009
【図８】
2015169493.tif 000010
【図９】
2015169493.tif 000011
【図１０】
2015169493.tif 000012
【図１１】
2015169493.tif 000013
【図１２】
2015169493.tif 000014
【図１３】
2015169493.tif 000015
【図１４】
2015169493.tif 000016
【図１５】
2015169493.tif 000017
【図１６】
2015169493.tif 000018
【図１７】
2015169493.tif 000019